(57)【要約】【課題】ＨＤＤレコーダ等の記憶領域が記録中に足りなくなった場合にも、連続して記録できるネットワーク記録再生システムを提供する。【解決手段】記録再生装置１０８における容量確認手段１０３は、内部記憶領域１０４の容量が少なくなると、ネットワークに接続されている外部記憶装置１１４を検索する。外部記憶装置１１４に対して、記録したい映像ストリームを受信手段１０１から受信し、再生通信手段１０６を介して送信する。外部記憶装置１１４の記録通信手段１１０は、映像ストリームを受信し、外部記憶領域１１３に記録する。以上の方法により、空き容量がなくなった場合でも、連続して映像ストリームを記録することが可能である。【選択図】　図１
2004128931.tif 000002
【特許請求の範囲】
【請求項１】
映像ストリームを受信する手段と、前記映像ストリームを記録する内部記憶領域と、前記映像ストリームをネットワーク上の外部記憶装置と送受信するための再生通信手段と、前記映像ストリームを前記内部記憶領域または前記外部記憶装置に記録する記録手段と、前記外部記憶装置を検索して結果を前記記録手段に送る外部記憶装置検索手段と、前記内部記憶領域または前記外部記憶装置の空き容量を確認して結果を前記記録手段に送る容量検索手段と、前記内部記憶領域または前記外部記憶装置に記録された前記映像ストリームを再生する手段を有するネットワーク記録再生装置。
【請求項２】
映像ストリームを受信する手段と、前記映像ストリームを記録する内部記憶領域と、前記映像ストリームをネットワーク上の外部記憶装置と送受信するための再生通信手段と、前記外部記憶装置を検索して結果を前記記録手段に送る外部記憶装置検索手段と、前記内部記憶領域または前記外部記憶装置の空き容量を確認して結果を前記記録手段に送る容量検索手段と、前記映像ストリームを前記内部記憶領域または前記外部記憶装置に記録する記録手段と、前記内部記憶領域または前記外部記憶装置に記録された前記映像ストリームを再生する手段を有する記録再生装置と、映像ストリームを記録するための外部記憶領域と、前記外部記憶領域の容量を確認する容量確認手段と、前記映像ストリームを受信して、前記外部記憶領域に書き込むための記録通信手段を有する外部記憶装置をネットワークで接続したネットワーク記録再生システム。
【請求項３】
前記容量確認手段が、記録再生装置の内部記憶領域の空き容量に応じて、外部記憶装置を選択し記録を行うことを特徴とする請求項２記載のネットワーク記録再生システム。
【請求項４】
前記外部記憶装置が複数接続されていることを特徴とする請求項２記載のネットワーク記録再生システム。
【請求項５】
前記記録手段が映像ストリームを記録した位置の情報を内部記憶領域に記録することを特徴とし、前記再生手段が記憶された位置の情報から記録した映像ストリームを再生することを特徴とする請求項２記載のネットワーク記録再生システム。
【請求項６】
前記容量検索手段は、外部記憶装置の空き容量に応じて、異なる外部記憶装置を選択することを特徴とする請求項４記載のネットワーク記録再生システム。
【請求項７】
前記容量確認手段は、前記外部記憶領域の空き領域を確認し、記録再生装置に前記確認結果を送信することを特徴とし、前記容量検索手段が前記結果を受信することを特徴とする請求項６記載のネットワーク記録再生システム。
【請求項８】
前記再生手段は、異なる外部記憶装置に分割して記録されている映像ストリームを受信し、再生中のストリームの再生が終了する前に次のストリームを受信し始めておくことで、分割して記録された映像ストリームを途切れることなく連続して再生することを特徴とする請求項６記載のネットワーク記録再生システム。
【請求項９】
前記内部記憶領域には、ネットワークに接続している外部記憶装置の一覧を記憶し、前記記録通信手段は、ネットワーク上の記録再生装置に対して、外部記憶装置追加の命令を送信する手段を有し、前記外部記憶装置検索手段は、ネットワーク上の外部記憶装置から外部記憶装置追加の命令を受信し、ネットワークに接続している外部記憶装置の一覧を更新する手段を有することを特徴とする請求項４記載のネットワーク記録再生システム。
【発明の詳細な説明】
【０００１】
【発明の属する技術分野】
本発明は、映像ストリームの記録再生装置および方法、並びに記録再生システムに関係する。
【０００２】
【従来の技術】
近年、テレビジョン番組をハードディスク、または光ディスク等の記録媒体に記録させる記録再生装置が開発され、製品化されている。ユーザはこのような記録再生装置に、テレビジョン番組を記録再生することができる。従来の予約録画を設定どおり実行するための方法では、容量が足りなくなった場合に利用者に連絡する手段を有し、不要な記録済み映像ストリームをユーザが選択的に削除することで空き容量を増やし、予約録画を設定どおり実行している（例えば、特許文献１参照）。しかしながら、ユーザが不要な映像ストリームを削除しなければ空き容量を確保できず、録画することが出来ないという問題があった。
【０００３】
【特許文献１】
特開２００２−６４７８５号公報
【０００４】
【発明が解決しようとする課題】
本発明は、記録再生装置において記憶領域が足りなくなった場合にも、ユーザが不要な映像ストリームを削除することなく記録できるようにするものである。
【０００５】
【課題を解決するための手段】
本発明のネットワーク記録再生システムは、映像ストリームを受信する手段と、前記映像ストリームを記録する内部記憶領域と、前記映像ストリームをネットワーク上の外部記憶装置と送受信するための再生通信手段と、前記映像ストリームを前記内部記憶領域または前記外部記憶装置に記録する手段と、前記内部記憶領域または前記外部記憶装置に記録された前記映像ストリームを再生する手段を有する記録再生装置と、映像ストリームを記録するための外部記憶領域と、前記映像ストリームを受信して前記外部記憶領域に書き込むための記録通信手段を有する外部記憶装置をネットワークで接続されていることを特徴とする。
【０００６】
記録再生装置の記録手段は、記録再生装置の内部記憶領域の空き容量に応じて、外部記憶装置を選択し記録を行うことを特徴とする。
【０００７】
これによって、内部記憶領域が少なくなった場合や、足りない場合に、外部記憶装置を選択し記録を行うことができる。
【０００８】
【発明の実施の形態】
以下、本発明の実施の形態について、図１から図３までを用いて説明する。
【０００９】
（実施の形態１）
図１は本発明の記録再生装置１０８および外部記憶装置１１４がネットワーク１０９にて接続されたネットワーク記録再生システムの構成を示している。
【００１０】
記録再生装置１０８は、映像ストリームを受信する受信手段１０１と、その映像ストリームを記録する内部記憶領域１０４と、その映像ストリームをネットワーク１０９上の外部記憶装置１１４と送受信するための再生通信手段１０６と、その映像ストリームを内部記憶領域１０４または外部記憶装置１１４に記録する記録手段１０２と、その内部記憶領域１０４または外部記憶装置１１４に記録された映像ストリームを再生する再生手段１０７を有する。
【００１１】
外部記憶装置１１４は、映像ストリームを記録するための外部記憶領域１１３と、その映像ストリームを受信して外部記憶領域１１３に書き込む、または外部記憶領域１１３から読み出して記録再生装置１０８に送信するための記録通信手段１１０を有する。
【００１２】
図４は、図１における記録再生装置の処理の流れ図を示している。ステップ１０１において、容量検索手段１０３が、現在記録している映像ストリームのビットレートと内部記憶領域１０４の映像ストリーム記録可能容量、記録できる時間の計算を行う。空き容量がある場合には、ステップ１０２において、受信手段１０１が、映像ストリームを受信し、記録手段１０２が、番組情報とともに内部記憶領域１０４に記録する。さらにステップ１０３において、記録手段１０２が、記録を続けるかを確認し、続ける場合は上記ステップ１０１からの処理を繰り返す。続けない場合は終了する。一方ステップ１０１において、空き容量が無い場合には、ステップ１０４において外部記憶装置探索手段１０５がネットワークに接続されている外部記憶装置の検索を行う。ユーザは外部記憶装置検索手段１０５を操作することにより、内部記憶領域１０４に優先度と映像ストリームを記録する記録位置のテーブルを内部記憶装置上に記録しておく。外部記憶装置検索時には、外部記憶装置検索手段１０５が、このテーブルを参照し、優先度の順に記録位置である外部記憶装置１１４が接続されているかを調べる。また、容量検索手段１０３が、再生通信手段１０６を介して、外部記憶装置１１４に空き容量を確認する。外部記憶装置１１４の容量確認手段１１１が外部記憶領域１１３の容量を確認し、記録通信手段１１０を介して記録再生装置１０８に結果を送信することで、検索された外部記憶領域１１３に空き容量があるかを調べる。その結果、例えば、外部記憶装置１１４が選択される。ステップ１０５において、記録再生手段１０２が、検索された外部記憶装置１１４に記録再生装置１０８の受信手段１０１により受信した映像ストリームを送信する。なお内部記憶領域１０４固有の情報、例えばシリアル情報等を同時に送信することで、その映像ストリームがどの記録再生装置１０８で記録されたかを対応づけ、その記録した記録再生装置１０８でのみ再生することを許可するようにしてもよい。なおこの送信時に映像ストリームを暗号化しておいてもよい。ステップ１０６において、記録手段１０２が、記録した番組の情報と、記録した映像ストリームの位置の情報を図７のように内部記憶領域１０４に記録を行う。ステップ１０６において、記録手段１０２が、記録を続けるか確認し、続ける場合には上記ステップ１０５からの処理を繰り返す。続けない場合には、記録手段１０２が、映像ストリームの送信を停止し終了する。
【００１３】
ここで、図７は記録再生装置１０８における内部記憶領域１０４の記録形式を記述している。ある番組Ａを記録する場合には、番組情報Ａと、ネットワーク上のアドレスとパスを含む記録位置の情報を１つの組として内部記憶領域４に記録する。
【００１４】
図５は図１で構成を示した外部記憶装置１１４の処理の流れ図を示している。ステップ２０１において、記録通信手段１１０が、記録処理か再生処理かを判断する。記録の場合には、ステップ２０１において、記録通信手段１１０が、図４のステップ１０５で記録再生装置１０８から送信された、記録再生装置１０８の情報と映像ストリームを最後まで受信する。ステップ２０３において、記録通信手段１１０が、受信した映像ストリームの記録再生装置１０８の情報を図８のように外部記憶領域１１３に記録する。なお、ステップ２０２とステップ２０３において、記録通信手段１１０は、映像ストリームの受信がすべて終わるのを待ってから、内部記憶領域１０４に記録するという処理を行う必要は無く、映像ストリームの受信が終わるまでステップ２０２とステップ２０３の処理を繰り返し、受信しながら記録処理を行ってもよい。
【００１５】
ここで、図８は外部記憶装置１１４における外部記憶領域１１３の記録形式を記述している。ある番組Ｂを記録する場合には、受信した番組Ｂの映像ストリームと、送信してきた記録再生装置１０８の情報を１つの組として記録する。
【００１６】
ステップ２０１において、再生の場合には、ステップ２０４において、記録通信手段１１０が、映像ストリームの送信要求を出した記録再生装置１０８の内部記憶領域固有の情報と、外部記憶装置１１４に該映像ストリーム記録時に送信した内部記憶領域固有の情報を比較し、その映像ストリームの記録を行った内部記憶領域であるかを確認する。同じ内部記憶領域１０４の場合には、ステップ２０５において、記録通信手段１１０が、送信要求を送ってきた記録再生装置１０８に対して対応する映像ストリームを最後まで送信する。
【００１７】
図６は本発明の記録再生装置における再生手段の処理の流れ図を示している。ステップ３０１において、図４のステップ１０２もしくは、図４のステップ１０６において記憶した番組の記録情報から再生する映像ストリームをユーザが選択する。ステップ３０２において、再生通信手段１０６が、内部記憶領域１０４に記録されている図７に示す形式の記録番組情報と記録位置を参照し、再生したい記録位置が内部か外部かを調べる。記録位置が内部記憶領域１０４の場合には、ステップ３０５において、再生手段１０７が、内部記憶領域１０４から映像ストリームを最後まで再生する。一方、記録位置が外部記憶領域１１３の場合には、ステップ３０３において、再生手段１０７が対応する外部記憶装置１１４に映像ストリームの送信要求を行う。次にステップ３０４において、再生手段１０７が、外部記憶領域１１１から映像ストリームを受信し最後まで再生を行う。
【００１８】
図２は、本発明を適用した記録再生システムの実施形態の構成を示している。構成としては、外部記憶装置としてローカルディスクサーバとグローバルディスクサーバの２つを接続している。
【００１９】
この記録再生システムにおいて、放送事業体２０８は、例えば、テレビジョン番組に多重化や暗号化などの必要な処理を実行して生成したＭＰＥＧ（Ｍｏｖｉｎｇ　Ｐｉｃｔｕｒｅ　Ｅｘｐｅｒｔｓ　Ｇｒｏｕｐ）トランスポートストリームを放送アンテナ２０７からテレビジョン放送波として送信する。放送アンテナ２０７から送信されたテレビジョン波は、図示せぬ衛星を介してハードディスクレコーダ２０６により衛星アンテナ２０９を介して受信される。
【００２０】
図１０は複数の外部記憶領域がネットワーク上に存在する場合の、本発明の記録再生装置における記録手段の処理の流れを示している。この流れに沿って、ハードディスクレコーダ２０６の動作を説明する。
【００２１】
ステップ４０１において、ハードディスクレコーダ２０６は内部記憶装置であるハードディスクの空き容量があるか否かを判定する。空き容量の確認は、現在記録している映像ストリームのビットレートと内蔵しているハードディスクの映像ストリーム記録可能容量から、記録できる時間を計算しておこなう。空き容量が十分であると判断した場合、ステップ４０２において、受信したテレビジョン番組を、内臓しているハードディスクに記録する。さらにステップ４０３において、記録を続けるかを確認し、続ける場合には上記ステップ４０１からの処理を繰り返す。
【００２２】
一方ステップ４０１において、記録開始時から空き容量が不足していると判断した場合、またはハードディスクに記録を続けた結果として容量が不足した場合は、ステップ４０４において、あらかじめユーザにより設定されたネットワークに接続されている外部記憶領域の中から、記録するのに最適な外部記憶装置を検索する。
【００２３】
この最適な外部記憶領域は、空き領域、前もってユーザが指定した優先度により決定される。なお、最適との判断は、ネットワーク上の距離、または機器間の通信速度、または外部記憶装置の使用料金を考慮してもよい。すなわち、ユーザは、テレビジョン番組の録画をする前に、記録先として使用するグローバルディスクサーバ２０１と、ローカルディスクサーバ２０５と、これら外部記憶領域の記録の優先度を登録しておく必要がある。
【００２４】
なおこの優先度の登録は、ユーザが記録再生装置１０８の内部記憶領域１０４の中に作成しておく。ただし、記録再生装置１０８の内部で、再生通信手段１０６が参照できればよいので、必ずしも内部記憶領域１０４である必要はない。フラッシュ等でも記録は可能である。
【００２５】
今回説明するケースでは、図３のように指定されていたとする。また、説明するステップ４０４の検索方法は、現在ハードディスクに記録していた場合には優先度の一番高い外部記憶装置、また外部記憶装置に記録していた場合には、現在選択している外部記憶装置の次に優先度の高い外部記憶装置を選択するという方法である。
【００２６】
ステップ４０４において、これまでハードディスクに記録していた場合には、図３から外部記憶領域としてローカルディスクサーバ２０５が候補として選択される。ステップ４０５において、容量に空きがあるかを確認する。容量に余裕がある場合は、ステップ４０６において、ハードディスクレコーダ２０６はローカルネットワーク２０４を介して、ローカルディスクサーバ２０５に記録したい映像ストリームとハードディスクレコーダ２０６固有の情報を送信する。さらにステップ４０７において、記録した外部記憶領域の情報と、記録した番組情報をハードディスクへ記録する。ステップ４０８において、記録を続けるかの確認を行い、続ける場合には上記ステップ４０４からの処理を繰り返す。続けない場合は、終了する。
【００２７】
一方ステップ４０５において、優先度１のローカルディスクサーバ２０５の空き容量が不足していると判断した場合、またはローカルディスクサーバ２０５に記録を続けた結果として容量が不足した場合は、次に優先度の高い外部記憶装置を検索し、グローバルディスクサーバ２０１が候補として選択される。ここでステップ４０５からの処理を繰り返すことで複数の外部記憶領域に対応できる。なお、今回のケースのように１つの映像ストリームを複数の外部記憶領域に分割して記録した場合には、図９に示すようにハードディスクに記録しておくことで、１つの映像ストリームとして扱う。なお、内部記憶領域の記憶形式を図１２のようにし、外部記憶領域の記憶形式を図１３のように記録して、１つの映像ストリームとして扱ってもよい。
【００２８】
新しい外部記憶領域の追加を行うには、ネットワークに外部記憶装置を接続し、新しく接続した機器をこのテーブルに追加する必要がある。
【００２９】
次に、この追加を自動で行う方法について説明する。接続時に外部記憶装置１１４の記録通信手段１１０は、ローカルネットワークに対して、機器が追加されたということをブロードキャストする。ネットワーク上の記録再生装置１０８の外部記憶装置検索手段１０５は、機器が追加されたというブロードキャストと受信すると、新たに追加した機器に対して、機器の情報を送信するように要求する。新たに追加した機器の記録通信手段１１０は、この要求を受信すると、ネットワークアドレス・新たに追加した機器情報送信する。このとき送信する機器情報は、外部記憶装置１１４の機器情報保持部１１２で管理されている。機器情報保持部１１２では、自己の有する手段を保持している。例えば、外部記憶装置１１４の場合には、記録通信手段１１０、容量確認手段１１１、外部記憶装置１１３を有することが記録されている。記録再生装置１０８の外部記憶装置検索手段１０５は、ネットワークの応答性・記憶領域の容量等から優先度を決定し、接続している外部記憶装置１１４のテーブルを内部記憶領域１０４に記録する。
【００３０】
（実施の形態２）
図１１は複数の外部記憶領域がネットワーク上に存在する場合の、本発明の外部記憶装置における記録通信手段の処理の流れを示している。この流れに沿って、ローカルディスクサーバ２０５の動作を説明する。
【００３１】
ステップ５０１において、記録処理か再生処理かの判断を行う。記録の場合には、ステップ５０２において、ローカルディスクサーバ２０５の空き容量を確認する。空き容量がある場合は、ステップ５０３において、図１０のステップ４０６により送信された番組の映像ストリームをローカルネットワーク２０４を介して受信する。さらにステップ５０４において、受信した映像ストリームとハードディスクレコーダ２０６の情報を関連付けて記録する。ステップ５０５において、さらに映像ストリームが送信されてくる場合は、ステップ６０１からの処理を繰り返す。
【００３２】
一方ステップ５０２において、空き容量が無いまたはローカルディスクサーバ２０５に記録した結果として空き容量が無くなった場合には、ステップ５０６において、記録再生装置に空き容量が無いことを通知して処理を終了する。なお、グローバルディスクサーバ２０１の処理もローカルディスクサーバ２０５と同じである。
【００３３】
ハードディスクレコーダ２０６のユーザは、テレビジョン番組がハードディスクに記録されている場合には、このテレビジョン番組を再生し、図示せぬモニタまたはスピーカで視聴することができる。図９に示すようにハードディスクレコーダ２０６、ローカルディスクサーバ２０５、グローバルディスクサーバ２０１の順に１つの番組を複数のディスクに記録した場合には、図１０のステップ５０８でハードディスクレコーダ内部のディスクに記録されている図９の形式の番組情報および記録位置を参照し、順番に連続再生を行う。図９に示す番組情報Ｄの映像ストリームの再生では、まず、内臓ハードディスクの／ｈｏｍｅ／ｓｔｒｅｍ＿ｄ０の映像ストリームを再生手段１０７により再生する。次に、この／ｈｏｍｅ／ｓｔｒｅｍ＿ｄ０の再生が終わりに近づいたら、ローカルディスクサーバに対して、／ｈｏｍｅ／ｓｔｒｅａｍ＿ｄ１の送信要求を送る。内臓ハードディスク側の／ｈｏｍｅ／ｓｔｒｅａｍ＿ｄ０の再生が終わると同時に、／ｈｏｍｅ／ｓｔｒｅａｍ＿ｄ１の受信と再生を行う。次に、ローカルディスクサーバの／ｈｏｍｅ／ｓｔｒｅａｍ＿ｄ１の再生が終わりに近づいたら、グローバルディスクサーバに対して、／ｈｏｍｅ／ｓｔｒｅａｍ＿ｄ２の送信要求を送る。ローカルディスクサーバ側の／ｈｏｅｍ／ｓｔｒｅａｍ＿ｄ１の再生が終わると同時に、／ｈｏｍｅ／ｓｔｒｅａｍ＿ｄ２の受信再生を行う。
【００３４】
なお再生通信手段にストリームを一時的に蓄えておくバッファを用意することで、スムーズな再生ができる。
【００３５】
また、映像ストリームをスムーズに再生するための調整用に、記憶領域を切り替える際は、その最後の部分を２重に記録しておく。これにより、ハードディスクの／ｈｏｍｅ／ｓｔｒｅａｍ＿ｄ０の最後の部分と、ローカルディスクサーバ内の／ｈｏｍｅ／ｓｔｒｅａｍ＿ｄ１の最初の部分は同じ映像ストリームを記録しているので、ｓｔｒｅａｍ＿ｄ０の最後を再生中に、ｓｔｒｅａｍ＿ｄ１の受信をし、２重に記録されている間で同期させることで途切れることなく再生することができる。
【００３６】
このようにして、１つの映像ストリームとして見せることができる。
【００３７】
なお、この実施例ではハードディスクレコーダの例で説明したが、ＤＶＤレコーダ、メモリレコーダでも実施することが可能である。
【００３８】
なお、この実施例での映像ストリームの受信は衛星放送波からの例で説明したが、地上波放送、ケーブル放送、インターネットストリーム、ビデオカメラの撮影からの入力でも実施することが可能である。
【００３９】
なお、この実施例でのハードディスクの容量確認は、容量がある場合と無い場合で判断したが、映像ストリームから判断し記録領域が無くなる数分前に新しい外部記憶装置の検索を行い、シームレスに記録を行ってもよい。
【００４０】
【発明の効果】
以上のように、ハードディスクレコーダやＤＶＤレコーダのような記録再生装置においてハードディスクやＤＶＤメディアのような内部記憶領域の容量が足りなくなった場合でも、本発明を使用すれば、不要な映像ストリームを削除することなく、ネットワーク上の記憶領域に記録が可能となる。
【図面の簡単な説明】
【図１】本発明の一実施形態によるネットワーク記録再生システムの構成を示すブロック図
【図２】本発明の一実施形態による実施例であるネットワーク記録再生システムの構成を示すブロック図
【図３】外部記憶装置の優先度を説明する図
【図４】記録再生装置における記録手段の処理の流れを示すフローチャート
【図５】外部記憶装置における記録通信手段の処理の流れを示すフローチャート
【図６】記録再生装置における再生手段の処理の流れを示すフローチャート
【図７】内部記憶領域の記録形式を説明する図
【図８】外部記憶領域の記録形式を説明する図
【図９】内部記憶領域の記録形式を説明する図
【図１０】複数の外部記憶装置が存在する場合の、記録再生装置における記録手段の処理の流れを示すフローチャート
【図１１】複数の外部記憶装置が存在する場合の、外部記憶装置における記録通信手段の処理の流れを示すフローチャート
【図１２】内部記憶領域の記録形式を説明する図
【図１３】外部記憶領域の記録形式を説明する図
【符号の説明】
１０１　受信手段
１０２　記録手段
１０３　容量検索手段
１０４　内部記憶領域
１０５　外部記憶装置検索手段
１０６　再生通信手段
１０７　再生手段
１０８　記録再生装置
１０９　ネットワーク
１１０　記録通信手段
１１１　容量確認手段
１１２　機器情報保持部
１１３　外部記憶領域
１１４　外部記憶装置
２０１　グローバルディスクサーバ
２０２　インターネット
２０３　ルータ
２０４　ローカルネットワーク
２０５　ローカルディスクサーバ
２０６　ハードディスクレコーダ
２０７　放送アンテナ
２０８　放送事業体
２０９　衛星アンテナ
２１０　地上波アンテナ
【図１】
2004128931.tif 000003
【図２】
2004128931.tif 000004
【図３】
2004128931.tif 000005
【図４】
2004128931.tif 000006
【図５】
2004128931.tif 000007
【図６】
2004128931.tif 000008
【図７】
2004128931.tif 000009
【図８】
2004128931.tif 000010
【図９】
2004128931.tif 000011
【図１０】
2004128931.tif 000012
【図１１】
2004128931.tif 000013
【図１２】
2004128931.tif 000014
【図１３】
2004128931.tif 000015